(57)【要約】【課題】配線が容易な回転位置インデックスセンサを実現しうる遊技機を提供する。【解決手段】互いに独立に回転するように配列されている複数のリールと、リールの外周または側面を一周するように形成された複数の孔と、孔に対向して配置される孔検出センサとを備え、複数の孔の各々は前記リールの径方向に対して傾斜して形成され、少なくとも１つの孔が他の孔と検出出力が異なるように形成されている【選択図】　図１
2004121448.tif 000002
【特許請求の範囲】
【請求項１】
互いに独立に回転するように配列されている複数のリールと、
前記リールの外周または側面を一周するように形成された複数の孔と、
前記孔に対向して配置される孔検出センサとを備え、
前記複数の孔の各々は前記リールの径方向に対して傾斜して形成され、少なくとも１つの孔が他の孔と検出出力が異なるように形成されている遊技機。
【請求項２】
前記少なくとも１つの孔の底面には反射部材を設けられていることを特徴とする請求項１に記載の遊技機。
【請求項３】
前記少なくとも１つの孔の底面には光源が備えられていることを特徴とする請求項１に記載の遊技機。
【請求項４】
前記少なくとも１つの孔の底面には磁石が備えられていることを特徴する請求項１に記載の遊技機。
【請求項５】
前記少なくとも１つの孔は、前記孔検出センサの検出を妨げる方向に形成されていることを特徴とする請求項１に記載の遊技機。
【発明の詳細な説明】
【０００１】
【発明の属する技術分野】
本発明は、回転リールを備えた遊技機に関する。
【０００２】
【従来の技術】
従来の遊技機の一般的な構成を、図５の正面図を参照して説明する。スロットマシン１０は、四角箱状の筐体１１を有する。前記筐体１１の中央部及び上部には、遊技者側に向かって臨む四角窓状の表示窓１４が形成されている。そして、この中央部の表示窓１４の中央には、３個の左回転リール４３、中回転リール４４、および右回転リール４５（以下、３個の回転リールをまとめて回転リール４１という）の各図柄６１と演出用リール４６上の図柄とを、見ることができる図柄表示窓１３が形成されている。この回転リール４１と演出用リール４３とでリールユニット６０が形成される。そして、各回転リール４１は、合成樹脂からなる回転ドラムが備えられており、図柄６１はこの回転ドラムの周囲に貼付されるテープ状のリールテープ４２の外周面に、複数個（例えば２１個）表示されている。
【０００３】
ベットスイッチ１６は、回転リール４１の下方に位置するスイッチであって、貯留メダル数を減じてメダル投入に代える。精算スイッチ１７は、回転リールの斜め下方に位置するスイッチであって、貯留した投入メダルを払い出す。スタートスイッチ３０は回転リール４１の斜め下方に位置するレバーであって、遊技メダルがメダル投入口１００に投入された場合、もしくはベットスイッチ１６の操作された場合を条件に、リールユニット６０の駆動を開始させる。ストップスイッチ５０は、リールユニット６０の駆動を停止させるためのものである。
【０００４】
遊技者が１〜３枚のメダルを投入した後、スタートスイッチ３０を操作すると、各回転リール４１が回転する。前面パネルには投入されたメダル枚数に応じて有効となる、最大５本の入賞有効ライン（図示せず）が備えられている。スタートスイッチ３０が操作されると、遊技機内部で乱数による抽選が行われる。その抽選の結果、何らかの当選役に当選し、その当選役に対応する図柄を入賞有効ライン上で回転リール４１をストップスイッチ５０を操作して停止できれば、入賞が発生する。その結果、入賞態様に応じた利益、例えば所定枚数のメダルが遊技者に払い出される。
【０００５】
演出用リール４６は上記の回転リール４１とは別に設けられている。この演出用リール４６は、液晶、発光ダイオードなどの表示媒体を使用して、遊技者に対して遊技機内部の状態、例えば当選役に対応する図柄で停止するようにその図柄を回転リール４１の回転に合わせて表示することにより遊技者の停止操作をアシストしたり、遊技終了後に入賞態様を遊技者に報知するなど、演出用に使用される。
【０００６】
ここで回転リール４３〜４５の回転駆動及びその停止制御系統を、図６のブロック図を参照して説明する。
【０００７】
図６において、スタートスイッチ３０からの信号に基づいて、ドライバ７０が各回転リール４３〜４５に対応するモータ７１ａ，７１ｂ，７１ｃを駆動し、回転リール４３〜４５が回転される。回転リール４３〜４５は、各回転ドラムごとにそれぞれ設けられた回転位置インデックス（図７で後述する）が回転位置インデックスセンサ９０ａ，９０ｂ，９０ｃで検出されるようになっている。ストップスイッチ５０ａ，５０ｂ，５０ｃの操作信号に応答して、ドライバ７０は、モータ７１ａ，７１ｂ，７１ｃの回転をそれぞれ停止させる。停止図柄決定部８０では、回転位置インデックスセンサ９０ａ，９０ｂ，９０ｃから与えらえる回転リール４３〜４５の回転位置インデックスのデータと、ドライバ７０から与えられる各モータの回転角度の情報とに基づいて、回転リール４３〜４５が、それぞれ、回転前の停止位置から何度回転したかを検出し、停止状態で図柄表示窓１３（図５参照）に現われる図柄を決定する。
【０００８】
【発明が解決しようとする課題】
しかし、従来の回転リールの回転位置インデックスおよび回転位置インデックスセンサは、図７に示すように、回転位置インデックス９１ａは回転リール４３内部の内側に突起をもって設けられている。そのために回転位置インデックス９１ａを検知するフォットセンサである回転位置インデックスセンサ９０ａも、回転リール４３を含むリールユニット６０内部に設ける必要がある。すなわち、回転位置インデックスセンサの配線をリールユニット６０内部に設けなければならず、配線が困難となり、また回転位置インデックスセンサを設置するためにリールユニット６０の構造も複雑なものにする必要があった。
【０００９】
そこで、本発明は、配線が容易な回転位置インデックスセンサを実現しうる遊技機を提供することを目的とする。
【００１０】
【課題を解決するための手段】
本発明の請求項１に係る遊技機は、互いに独立に回転するように配設されている複数のリールと、リールの外周または側面を一周するように形成された複数の孔と、孔に対向して配置される孔検出センサとを備え、複数の孔の各々がリールの径方向に対して傾斜して形成され、少なくとも１つの孔が他の孔と検出出力が異なるように形成されている。
【００１１】
本発明の請求項２に係る遊技機は、請求項１に記載のものであって、少なくとも１つの孔の底面には反射部材を設けられている。
【００１２】
本発明の請求項３に係る遊技機は、請求項１に記載のものであって、少なくとも１つの孔の底面には光源が備えられている。
【００１３】
本発明の請求項４に係る遊技機は、請求項１に記載のものであって、少なくとも１つの孔の底面には磁石が備えられている。
【００１４】
本発明に係る請求項５の遊技機は、請求項１に記載のものであって、少なくとも１つの孔は、前記孔検出センサの検出を妨げる方向に形成されている。
【００１５】
これによって、配線が容易な回転位置インデックスセンサを実現しうる。
【００１６】
【発明の実施の形態】
本発明に係る遊技機の１つの実施形態について図面に基づいて説明する。図１は、本実施例の孔検出センサ（回転位置インデックスセンサ）および回転位置インデックス９１（ダミーも含む孔）用の孔９１０を含むリールユニット６０を示す斜視図であり、図２は図１で示した右回転リール４５だけを取り出した部分の斜視図であり、図３は図２の右回転リール４５を遊技機の右側面方向Ａから見た一部の平面図である。
【００１７】
図１に示すように、本実施例の各回転リール４３〜４５の幅方向において、各リールテープ４２横の外周上に、周方向に沿って孔９１０がそれぞれ複数個設けられている。この各回転リール４３〜４５毎に回転リールインデックスセンサ（孔検出センサ）９０ａ（図示せず），９０ｂ（図示せず），９０ｃがリールユニット６０の外側に設けられている。以降、１つの右回転リール４５を例に詳細に説明する（他の２つの回転リール４３，４４も同様である）。
【００１８】
図２は、１つの回転リール４５を示す斜視図である。図示するように、回転リール４５には図柄（図示せず）を表示したリールテープ４２がその中央部付近に貼り付けられており、その横に、周方向に沿って回転位置インデックス用（ダミーを含む）の孔９１０が複数個設けられている。この孔９１０の中でその底面に反射部材９１が設けられた回転位置インデックス９１が備えられ、この回転位置用インデックス９１を検出するための回転位置インデックスセンサ９０ｃがリールユニット６０の外側で、回転リール４５の背面側に、かつ孔９１０に対向するように設けられている。
【００１９】
図３は回転リール４５を右側面方向Ａから見た平面図である。図示するように、複数の孔９１０の中に１つだけその底面に反射部材９２が設けられている回転位置インデックス９１が含まれている。回転位置インデックスセンサ９０ｃには回転リール４５の外周接面に対して垂直方向に光を発する光源９３と反射部材９２から反射された光を検知する光検知部９４とが備えられている。
【００２０】
回転位置インデックスセンサ９０ｃは光源９３から光を発し、回転リール４５に設けられた孔９１０の中で反射部材９２をその底面に有する回転位置インデックス９１からの反射光を光検知部９４を検知して回転リール４５の回転位置情報を得る。
【００２１】
このように、回転リール（リールユニット）の外側に光検知型の回転位置インデックスセンサを設け、回転位置インデックスを回転リールに設けた複数の孔の中の１つの孔に設けることにより、配線が容易になる。
【００２２】
ここで、各孔９１０の構造の詳細を図４（ａ），（ｂ）を参照して説明する。
【００２３】
図４（ａ）は、図２において回転リール４５の側面の方向Ａから見た側面図である。図示するように、各孔９１０の深さ方向は回転リールの回転軸４０とは交差しない向きになっている。これにより、孔９１０から反射した光の方向が、図柄表示窓１３（図５参照）の縦方向の中央線と回転軸４０とを結ぶ線方向とずれるために、遊技者にとってこの反射光が遊技者が特定の図柄を狙ってストップスイッチを押す、いわゆる「目押し」の基準タイミングとなることを防止しうる。
【００２４】
また図４（ｂ）に示すように、孔９１０の深さ方向を左右方向にずらしてもよい。図４（ｂ）は図２において回転リール４５を正面の方向から見た正面図である。図示するように、孔９１０の深さ方向を左右方向にずらしている。
【００２５】
図４（ａ），（ｂ）を組み合わせれば、遊技者はさらに反射光を「目押し」の基準タイミングとすることは更に困難となる。
【００２６】
このように配線が容易となるだけでなく、遊技者が回転リールの回転状態を知覚しずらい遊技機を提供できる。また孔に対しる光の出入りを利用して回転位置情報を検出するために、検出の精度が増すことになる。
【００２７】
更に別の実施形態として、回転リールインデックスセンサの光源９３を回転リールインデック９１用の孔９１０の底部に設け、回転リールインデックスセンサは光検知部９４のみを備えて、回転位置情報を得てもよい。
【００２８】
また更に別の実施形態として、上述した光検出型でなく、磁気検出型の方法で回転位置情報を検出してもよい。すなわち回転リールインデックスセンサ用の孔の底面に磁石を設け、回転位置インデックスセンセが磁気を検知するようにしてもよい。
【００２９】
また、第１の実施形態とは逆に、１つの孔以外の孔の底面に反射部材を設け、１つの孔だけに反射部材を設けないように孔を形成し、回転位置インデックスセンセが検出できない孔を回転位置インデックスと認識して、回転位置情報を検知してもよい。
【００３０】
【発明の効果】
以上のように、本発明に係る遊技機によれば、配線が容易となるリールユニットを提供できる。
【図面の簡単な説明】
【図１】本発明に係る遊技機の１実施例のリールユニットを示す斜視図である。
【図２】本実施例に係る１つの回転リールを示す斜視図である。
【図３】本実施例に係る１つの回転リールの一部の側面図である。
【図４】本実施例に係る孔の方向を説明するための図である。
【図５】従来のスロットマシンの正面図である。
【図６】従来の回転リールの回転位置を検知する動作を説明するための図である。
【図７】従来の回転リールの回転リールを示す斜視図である。
【符号の説明】
１０　スロットマシン
１１　筐体
１３　図柄表示窓
１４　表示窓
１５　投入スイッチ
１６　ベットスイッチ
１７　精算スイッチ
２５　メダル投入口
３０　スタートスイッチ
４０　回転軸
４１，４３〜４５　回転リール
４２　回転リール
４６　演出用リール
５０，５０ａ，５０ｂ，５０ｃ　ストップスイッチ
６０　リールユニット
６１　図柄
７０　ドライバ
７１ａ，７１ｂ，７１ｃ　モータ
８０　停止図柄決定部
９０ａ，９０ｂ，９０ｃ　回転位置インデックスセンサ
９１　回転位置インデックス
９２　反射部材
９３　光源
９４　光検知部
９１０　孔
【図１】
2004121448.tif 000003
【図２】
2004121448.tif 000004
【図３】
2004121448.tif 000005
【図４】
2004121448.tif 000006
【図５】
2004121448.tif 000007
【図６】
2004121448.tif 000008
【図７】
2004121448.tif 000009